(57)【要約】 【課題】  多重度を上げても再生データのＳ/Ｎ劣化が少なく且つ、転送レートが良好な多重方式のホログラム記録再生装置を提供すること。【解決手段】  図１（Ａ）に示すように、記録材料３０内のある記録領域において前記平行参照光２００の入射角度をθ1・・・θmとしてＮ１枚のホログラムを記録した後、図１（Ｂ）に示すように、記録材料３０をフーリエサイズ以下Ｚ１だけ移動した後、この移動の前に記録した際とはそれぞれ異なる参照光入射角度でホログラムを記録材料３０のＺ１ずれた領域にホログラムをＮ２枚記録する動作を以下同様に複数回繰り返し、移動距離の総和Ｚ１+Ｚ２+・・・・・≧信号光のフーリエ面サイズとなった場合に入射角度の条件を一番初期の状態に戻して再び同様の動作で記録を行う。【選択図】図１
2007304240.tif 000002
【特許請求の範囲】
【請求項１】
空間変調された信号光を記録材料に集光すると共に、別途平行参照光を同記録材料に照射し、この参照光と前記信号光の干渉縞をホログラム記録材料に多重記録するホログラム記録装置であって、
前記平行参照光の前記記録材料に対する入射角度を変化させる角度変化手段と、
前記記録材料を移動させる移動手段と、
前記角度変化手段で前記参照光の前記入射角度を変化させる動作と前記移動手段により前記記録材料を移動する動作を交互にまたは同時に行うことによって前記記録材料の記憶領域にホログラムを多重記録する記録手段と、
を具備することを特徴とするホログラム記録装置。
【請求項２】
前記記録手段は、前記記録材料内のある記録領域において前記平行参照光の入射角度をθ1・・・θmとしてＮ１枚のホログラムを記録した後、記録材料を信号光のフーリエサイズ以下Ｚ１だけ移動した後、この移動の前に記録した際とはそれぞれ異なる参照光入射角度でホログラムを記録材料のＺ１ずれた領域にＮ２枚記録した後、前記と同様に記録材料をＺ２移動させて、このＺ２ずれた領域にホログラムをＮ３枚記録する動作を以下同様に複数回繰り返し、その結果、移動距離の総和Ｚ１+Ｚ２+・・・・・≧信号光のフーリエ面サイズとなった場合に前記参照光の入射角度の条件を一番初期の状態に戻して再び同様の動作で記録を行うことを特徴とする請求項１記載のホログラム記録装置。
【請求項３】
ある任意の入射角度の平行参照光でホログラムを1枚記録した後、前記参照光の入射角度を変化させると共に、前記記録材料の記録領域を移動させた後、前記と同様にホログラムを前記移動後の記録領域に1枚記録する動作を複数回繰り返すことを特徴とする請求項１記載のホログラム記録装置。
【請求項４】
前記記録材料の移動量の総和が信号光のフーリエ面サイズ以上になった場合、それまでに記録したホログラムの枚数をＮ枚としたとき、Ｎ枚前に記録した際に用いた平行参照光の入射角度とブラッグ条件が異なる入射角度で、前記と同様の動作でホログラムを記録する動作を複数回繰り返すことを特徴とする請求項３記載のホログラム記録装置。
【請求項５】
前記記録材料の移動量の総和が信号光のフーリエ面サイズ以上になった場合、それまでに記録したホログラムの数をＮ枚、その間の前記参照光の入射角度をそれぞれθ１・・・・・θｎとすると、前記Ｎ枚記録した後は、前記参照光の入射角度をＮ枚前の角度と同じにしてホログラムを記録することを特徴とする請求項３記載のホログラム記録装置。
【請求項６】
空間変調された信号光を記録材料に集光すると共に、別途平行参照光を同記録材料内に照射し、この参照光と前記信号光の干渉縞をホログラム記録材料に多重記録するホログラム記録方法であって、
前記参照光の前記記録材料に対する入射角度を変化させる動作と、前記記録材料を移動する動作を交互にまたは同時に行うことにより、前記記録材料の移動によって広がった記憶領域にホログラムを多重記録することを特徴とするホログラム記録方法。
【請求項７】
平行参照光を記録材料に照射し、この記録材料に多重記録されているホログラムを再生するホログラム再生装置であって、
前記平行参照光の前記記録材料に対する入射角度を変化させる角度変化手段と、
前記記録材料を移動させる移動手段と、
前記角度変化手段で前記参照光の前記入射角度を変化させる動作と前記移動手段により前記記録材料を移動する動作を交互にまたは同時に行うことによって前記記録材料に多重記録されたホログラムを再生する再生手段と、
を具備することを特徴とするホログラム再生装置。
【請求項８】
前記再生手段は、前記記録材料内のある記録領域において前記平行参照光の入射角度をθ1・・・θmとしてＮ１枚のホログラムを再生した後、記録材料をフーリエサイズ以下Ｚ１移動し、Ｚ１だけ移動した後、この移動の前に再生した際とはそれぞれ異なる参照光入射角度でホログラムを記録材料のＺ１ずれた領域からホログラムをＮ２枚再生した後、前記と同様に記録材料をＺ２移動させて、このＺ２ずれた領域からホログラムをＮ３枚再生する動作を以下同様に複数回繰り返し、移動距離の総和Ｚ１+Ｚ２+・・・・・≧信号光のフーリエ面サイズとなった場合に、前記参照光の入射角度の条件を一番初期の状態に戻して再び同様の動作で再生を行うことを特徴とする請求項７記載のホログラム再生装置。
【請求項９】
ある任意の入射角度の平行参照光を前記記録材料に照射してホログラムを1枚記再生した後、前記参照光の入射角度を変化させると共に、前記記録材料の記録領域を移動させた後、前記と同様に移動後の前記記録材料からホログラムを1枚再生する動作を複数回繰り返すことを特徴とする請求項７記載のホログラム再生装置。
【請求項１０】
前記記録材料の移動量の総和が信号光のフーリエ面サイズより大きくなった場合、それまでに前記記録材料から再生したホログラムの枚数をＮ枚としたとき、Ｎ枚前に記録した際に用いた平行参照光の入射角度とブラッグ条件が異なる入射角度で、前記と同様の動作で前記記録材料からホログラムを再生することを複数回繰り返すことを特徴とする請求項９記載のホログラム再生装置。
【請求項１１】
前記記録材料の移動量の総和が信号光のフーリエ面サイズより大きくなった場合、それまでに前記記録材料から再生したホログラムの数をＮ枚、その間の前記参照光の入射角度をそれぞれθ１・・・・・θｎとすると、前記Ｎ枚再生した後は、前記参照光の入射角度をＮ枚前の角度と同じにしてホログラムを再生することを特徴とする請求項９記載のホログラム再生装置。
【請求項１２】
平行参照光を記録材料に照射し、この記録材料に多重記録されているホログラムを再生するホログラム再生方法であって、
前記参照光の前記記録材料に対する前記入射角度を変化させる動作と前記記録材料を移動する動作を交互にまたは同時に行うことによって前記記録材料に多重記録されたホログラムを再生することを特徴とするホログラム再生方法。
【発明の詳細な説明】
【技術分野】
【０００１】
本発明は、ホログラム記録再生装置に係り、特に参照光の角度変化及び記録領域の変化の両方を用いてデータを多重化する記録再生方法に関する。
【背景技術】
【０００２】
近年、ホログラフィック技術は、次世代、次々世代光ディスクと競合する強力なストレージ候補として注目を集めているホログラフックメモリの実用化に向けて、急速に開発が進められており、ホログラム技術を利用して大容量データの記録再生を行うホログラフィックデータストレージシステムの開発が進行している。
【０００３】
ホログラム記録再生装置(ボリュームホログラムメモリ)は、コヒーレントな信号光と参照光の干渉縞をホログラム記録材料（フォトポリマーなど）に記録し、この記録材料に記録時と同一の参照光を照射して再生信号光を発生させ、この再生信号光をＣＣＤなどの撮像素子で光電変換することにより再生画像信号を得るものである。ホログラム記録においてはホログラム記録材料の体積全体を用いた記録が行われるため、２次元的な情報記録を行う従来の光ディスクメモリと比較して、飛躍的な記録密度及び記録容量の増大の可能性を秘めている。
【０００４】
このようなボリュームホログラムメモリでは、さらなる記録密度向上のために、ホログラム記録材料の同一箇所に多数の独立なページを記録する多重記録という手法が用いられている。この多重記録には各種の方式があり、角度多重記録、シフト多重記録、位相コード多重記録、スペックル多重方式などが代表的なものである。
【０００５】
従来の角度多重方式を用いたホログラム記録再生光学系は図１０に示すようなものである。まず図１０（Ａ）のように記録材料（メディア）３０内で集光した信号光１００と平行参照光２００を交わらせることでホログラムを記録する。1つのホログラムを記録した後、参照光２００の角度をブラッグ条件からはずれる角度以上に変化させて再びホログラムを記録する。この動作を繰り返すことで同一箇所に複数のホログラムを記録することが可能である。同一箇所に複数のホログラムを記録した後、図１０（Ｂ）のようにメディア３０を信号光のフーリエ面が重ならない距離以上に移動させる。そして、図１０（Ａ）と同様に参照光２００の角度を変化させて複数のホログラムを記録する（例えば特許文献１参照）。
【０００６】
このように角度多重記録を行う際、平行参照光２００の光路の状態は記録を行うたびに変化している。それに対して信号光１００は空間変調されているため、強度分布は変化するが、光路は変化しない。またホログラムは信号光１００と参照光２００の干渉縞として記録されるため、参照光角度２００を変化させ記録した場合においても、ホログラムは空間内の信号光１００が通過する同一箇所に多重度に応じてホログラムが重なって記録され続けることになる。そのため信号光１００の強度分布の影響を大きく受ける。また、従来の角度多重方式では1箇所に複数のホログラムを書いた後、記録材料３０を移動して再び複数のホログラムを記録する方式をとっている。そのため連続的に記録材料３０を移動させて使用することが困難である。
【０００７】
そこで、記録材料３０を連続的に移動させる方法として、従来、図１１のような方法がある。まず、図１１（Ａ）のように平行参照光角度２００を一定にしたまま記録材料３０を信号光のフーリエ面サイズ以上にシフトさせてホログラムを複数のエリアに記録する。一定のエリアに記録した後、図１１（Ｂ）のように平行参照光２００の記録材料入射角度を変化させて再び同様のエリアに記録する。以上のような動作を繰り返すことで、連続的に記録材料３０を移動させながらホログラムを記録することが可能である。
【特許文献１】特開平２００３−３３７５２４号公報  （第１１頁、第５図）
【非特許文献１】IBM J.RES DEVELOP VOL 44 NO.3 MAY 2000 「Holographic data storage」
【発明の開示】
【発明が解決しようとする課題】
【０００８】
フォトポリマー系の記録材料を使用した場合、上記のような従来の角度多重方式では、同一箇所でホログラムが記録され続けるため、ホログラム記録箇所のみで大きくモノマーが消費される。そのため平行参照光角度２００を変化させて記録している間に信号光１００が通過する部分はモノマーが消費されやすい。それ故、参照光２００の角度変化開始当初に記録したホログラムと、角度を変化させ続けてゆき後半に記録したホログラムではモノマーの状態が大きく異なってしまう。これによって、モノマーの不足により必要な量のモノマーを効率よく利用できず、再現性のよい記録ができなくなってしまい、再生データのＳ/Ｎが低下してしまう。
【０００９】
また、すでに多数のホログラムが記録されている記録材料部分では屈折率分布が他の部分に比べて変化している。そのため上記のような角度多重方式では、同一箇所に多数のホログラムが記録されているため、その部分のみで強く屈折率が変化してしまう。それ故、屈折率分布が異なる部分を通った信号光１００は記録した段階ですでに大きく波面が乱れてしまっているため、このような信号光１００と参照光２００の干渉縞であるホログラムは、後に再生した場合、Ｓ/Ｎが低下してしまう。したがって、多重度を上げると一定の部分のモノマー不足が大きくなり、且つ、同一箇所の屈折率変化も大きくなるので、再生時のＳＮを一定以上確保するには、多重度を上げることに限界が生じる。
【００１０】
また、従来の角度多重による記録材料の連続移動方法をとった場合、ホログラム記録エリアを移動する際、その移動距離は信号光のフーリエ面サイズ以上である必要があるため、移動距離が非常に大きなものとなってしまう。そのため、転送レートの低下がおきやすい。
【００１１】
本発明は前記事情に鑑み案出されたものであって、本発明の目的は、多重度を上げても再生データのＳ/Ｎ劣化が少なく且つ、転送レートが良好な多重方式のホログラム記録再生装置及び方法を提供することにある。
【課題を解決するための手段】
【００１２】
本発明は上記目的を達成するため、空間変調された信号光を記録材料に集光すると共に、別途平行参照光を同記録材料に照射し、この参照光と前記信号光の干渉縞をホログラム記録材料に多重記録するホログラム記録装置であって、前記平行参照光の前記記録材料に対する入射角度を変化させる角度変化手段と、前記記録材料を移動させる移動手段と、前記角度変化手段で前記参照光の前記入射角度を変化させる動作と前記移動手段により前記記録材料を移動する動作を交互にまたは同時に行うことによって前記記録材料の記憶領域にホログラムを多重記録する記録手段とを具備する。
【００１３】
また、本発明は、平行参照光を記録材料に照射し、この記録材料に多重記録されているホログラムを再生するホログラム再生装置であって、前記平行参照光の前記記録材料に対する入射角度を変化させる角度変化手段と、前記記録材料を移動させる移動手段と、前記角度変化手段で前記参照光の前記入射角度を変化させる動作と前記移動手段により前記記録材料を移動する動作を交互にまたは同時に行うことによって前記記録材料に多重記録されたホログラムを再生する再生手段とを具備する。
【００１４】
このように本発明では、平行参照光の記録材料への入射角度を変化させると共に、記録材料を僅かずつ移動させることによって、従来の角度多重のように記録材料の一箇所の固定された記録領域に多数枚のホログラムを記録するのではなく、記録材料が移動するたびに広がる記録領域に多数枚のホログラムを分散して記録するため、記録領域のモノマーの消費を均一化でき、参照光の後半の入射角度でも必要な量のモノマーを効率よく利用することができて再現性のよい記録ができることにより、多重度を上げても再生データのＳ/Ｎを劣化させることがなくなる。
【００１５】
また、記録材料の移動を信号光のフーリエ面サイズ以下の僅かな距離ずつ移動させることにより、記録材料の移動時間を僅少として、転送レートの向上を図ることができる。
【発明の効果】
【００１６】
本発明によれば、平行参照光の記録材料への入射角度を変化させると共に、記録材料を僅かずつ移動させることによって、記録材料が移動するたびに広がる記録領域に多数枚のホログラムを分散して記録するため、記録領域のモノマーの消費を均一化でき、参照光の後半の入射角度でも必要な量のモノマーを効率よく利用することができて再現性のよい記録ができるので、多重度を上げてもＳ/Ｎの良好な再生データを得ることができる。
また、記録材料の移動を信号光のフーリエ面サイズ以下の僅かな距離ずつ移動させることにより、記録材料の移動時間を僅少として、転送レートを向上させることができる。
【発明を実施するための最良の形態】
【００１７】
以下、本発明の実施形態を図面に基づいて詳細に説明する。
（実施例１）
図１は、本発明の第１の実施形態に係るホログラム記録方法を説明する図である。但し、簡略に説明するため記録材料３０のシフト方向は1次元のみとする。
【００１８】
まず、本ホログラム記録方法の定性的な説明をする。最初に図１（Ａ）のように通常の角度多重と同様に平行参照光２００のメディア入射角度を変化させて信号光１００と干渉させ、複数のホログラムを同一記録領域に記録する。この際、通常の角度多重時よりも少ない枚数のホログラムを記録する。例えば記録角度はθ1・・・θm、記録枚数をＮ１とする。
【００１９】
Ｎ１枚記録したのち記録材料３０を移動（シフト）させる。この際の移動距離はフーリエサイズ以下とし、移動距離をＺ１とする。Ｚ１だけ移動した後が図１（Ｂ）である。この図１（Ｂ）では図１（Ａ）で記録した際とはそれぞれ異なる参照光角度でホログラムを記録材料のＺ１ずれた領域に記録する。ここでの記録枚数をＮ２とする。
【００２０】
Ｎ２枚記録した後、先ほどと同様に記録材料を移動させる。ここでの移動距離をＺ２とする。以下同様に記録枚数Ｎｘ、移動距離Ｚｘを繰り返してホログラムを記録し続ける。このように複数回繰り返し記録を行い移動距離の総和Ｚ１+Ｚ２+・・・・・≧信号光のフーリエ面サイズとなった場合、図１（Ａ）のように記録角度の条件を一番初期の状態に戻して再び記録を行う。このとき図１（Ａ）と図１（Ｃ）の記録条件では参照光角度は同じであるが信号光のフーリエ面は重なっていない。即ち、図１（Ａ）と図１（Ｃ）の関係は通常の角度多重と同じ条件になる。
【００２１】
この記録方法を繰り返すことで全てのホログラムは同様の参照光角度で記録されたホログラムにおいて必ず信号光のフーリエ面が重ならない。よって図１０に示したように、記録材料３０の背後のフーリエ面にアパーチャ１０をおくことで、多重記録した各データは再生時に分離可能となるためホログラム再生可能となる。
【００２２】
なお、移動距離の総和≧信号光のフーリエ面サイズとなった後の記録角度は信号光のフーリエ面が重なっている他のホログラムとのブラッグ選択性が異なる状態であれば、上記のように1番初期の状態と同様の参照光入射角度でなくても問題はない。また各サイクルの移動距離の総和をS1,S2,S3・・Sk・・としたとき、それぞれの値が信号光のフーリエ面サイズ以上であればそれぞれの量が同じである必要はない。これと同時にあるサイクル内での各移動距離Z1,Z2・・・は他のサイクル内での各移動距離と同じである必要がない。
【００２３】
次に上記の記録方法についてさらに詳しく定量的な説明をする。図２は1サイクル内でのposition移動回数をｍ, そのときの記録材料３０の移動量がそれぞれδs1, δs2 ・・・・,δｓｍ 、1サイクル中の記録枚数がＮ, 1positonの記録枚数がｎ枚, 1サイクル記録する中での角度ピッチがそれぞれδθ1, δθ2,・・・・.δθＮである場合の記録方法を
m
説明する図である。また、総記録枚数はｎ×ｍ＝Ｎで、総移動量はΣｓj = Ｓである。し
ｊ=1
たがって１サイクルとは記録材料３０の移動距離がＳとなる期間である。
【００２４】
図２に示した動作を座標で示すと、図３の表で示した如くなる。よってａ‘’サイクルのｂ‘’×ｎ+Ｃ‘’ 枚目に記録するホログラムの記録位置および参照光角度は初期位置:Ｘ０、初期角度: θ０、各サイクルのシフト量をS1,S2,・・・,SM‘’とした場合は、
ａ“-１  b“-1
記録位置Ｘ = Ｘ０+ΣSM  +  Σδｓｊ
M=1     j=1
ｂ‘’×ｎ+Ｃ‘’-1
参照光角度θ = θ０+Σδθｉ
i=1
但し、1サイクル内で記録するホログラム枚数をＮとしたとき、
SM ≧信号光のフーリエ面サイズ
但し、(M=1, ・・・・)
δθi≧ブラッグの選択性から決まる角度（データが再生されなくなる角度）
但し、(i=1, ・・・・,N) 
【００２５】
ここで、δs =δｓｊ（ｊ=１, ・・・・,ｍ）、  δθ=δθi  （ｉ=１, ・・・・,Ｎ）、S=SM (M=1,・・・・) の場合、
記録位置Ｘ = Ｘ０+（ａ“-１）S+（ｂ”-１）δs
参照光角度θ = θ０+（ｂ“ｎ+c”-１）δθ
実施形態２と比較するとa”=a’,b”=b’,c”=c’ より同様の式となる。
尚、記録する順番はどのような順番で記録してもかまわない。また、記録する順番を変更することでスケジューリングを行うことが可能である。また、この例では、1サイクル内での角度ピッチ、シフトピッチは異なるが、それぞれのサイクルでは同様の角度ピッチ、シフトピッチにて記録を行っている。しかしそれぞれのサイクルにおいて同一の角度ピッチ、シフトピッチで記録する必要はない。但し、ある角度θwrite で記録されたホログラムがある角度範囲θ1min ≦θ≦θlmaxで再生可能な場合、信号光のフーリエ面が重なる範囲内においてこの角度範囲で記録をしてはならない。
【００２６】
図４は図２の動作の特殊例で、記録材料３０の移動ピッチが一定量δsxで、1positonにｎ枚記録する場合を説明する図である。本例では、Position移動を１サイクル内でｍ回繰り返す。ｍ回の移動でtotal移動量ｍ×δs x= Ｓ （信号光のフーリエ面サイズより大きいシフト量）となる。また、記録材料３０のtotal記録枚数ｎ×ｍ = Ｎ となる。したがって１サイクルとは記録材料３０の移動距離がＳとなる期間である。
【００２７】
図４に示した動作を座標で示すと、図５の表で示した如くなる。この図で、a’ サイクルのb’×ｎ+ｃ’ 枚目に記録するホログラムの記録位置および参照光角度は初期位置:Ｘ０,初期角度: θ０とした場合、
記録位置Ｘ = Ｘ０+（ａ’-１）ｍδｓx+（ｂ’-１）δsx
参照光角度θ = θ０+（ｂ’ｎ+c’-１）δθ 
但し、ｍ×δｓx ≧  信号光のフーリエ面サイズ
δθ≧ブラッグの選択性から決まる角度（データが再生されなくなる角度）
ここで、ｎ=１ のときＮ=ｍ,  δs=δsｘであるため、
記録位置Ｘ = Ｘ０+（ａ’-１）ｍδs+（ｂ’-１）δs
= Ｘ０+（ａ’-１）Ｎδs+（ｂ’-１）δs
参照光角度θ = θ０+（ｂ’ｎ+c’-１）δθ
= θ0+(ｂ’+c’-1) δθ
【００２８】
後述する第２の実施形態と比較すると、ａ=ａ’, ｂ= ｂ’+ｃ’ より上記の式は記録位置Ｘ = Ｘ０+（ａ-１）Ｎδs+（ｂ-１）δs
参照光角度 θ= θ０+（ｂ-１）δθ
よって第２の実施形態と同様の式になる。但し、記録する順番はどのような順番で記録してもかまわない、また、記録する順番を変更することでスケジューリングを行うことが可能である。
【００２９】
本実施形態によれば、参照光２００の角度を変化させると共に、記録領域を僅かずつずらしてデータを記録材料３０に多重記録することによって、従来の角度多重のように同一箇所に多数のホログラムが記録されることがなく、記録材料中のモノマーの消費を均一化できるため、一部分のモノマーが極端に消費することを避けることができる。これにより、参照光角度変化の後半でも忠実度の高い記録を行うことが出来、それ故、再生データのＳ/Ｎを悪化させずに多重記録を行うことができる。
【００３０】
また、記録領域の一部分のみで屈折率が強く変化してしまうことを避けることができるため、信号光１００の記録段階での波面の乱れを抑制することができ、記録時データの品質低下を抑制することが出来、それ故、再生データのＳ/Ｎを悪化させずに、多重記録を行うことができる。
（実施例２）
【００３１】
図６は、本発明の第２の実施形態に係るホログラム記録方法を説明する図である。但し、簡略に説明するため記録材料３０のシフト方向は1次元のみとする。
【００３２】
最初に図６（Ａ）のように通常の角度多重と同様に平行参照光２００と集光した信号光１００を記録材料３０内で交わらせることでホログラムを記録する。このときの平行参照光メディア入射角度をθ1とする。この入射角度で１枚のホログラムを記録した後、図６（Ｂ）に示すように記録材料３０を信号光のフーリエ面サイズよりも小さなシフト量δsだけシフトさせ且つ、平行参照光記録材料入射角度を前記入射角度θ1と比較してブラッグ条件から外れた量θ2の角度で再び異なるデータを持ったホログラムを記録する。記録した後、前述したように信号光のフーリエ面サイズよりも小さなシフト量δsだけ記録材料３０を移動させ、再び参照光入射角度をブラック条件から外れる量変化させて記録を行う。
【００３３】
同様の動作を行い続けると、図６（Ｃ）のように、ｎ枚記録したときのシフト量の和が信号光のフーリエ面サイズ以上になる。この時、ｎ枚目のホログラムは1〜ｎ−１枚前に記録したホログラムとは信号光のフーリエ面が重なってしまうが、ｎ枚以上前に記録したホログラムとは信号光のフーリエ面が重ならない。そのため１〜ｎ−１枚前のホログラムを記録した参照光角度と比較してブラッグ選択性が異なる角度で記録する。このような動作を繰り返すことで連続的に記録材料３０を移動させながら角度多重にてホログラムを記録することが可能となる。
【００３４】
次に上記の記録方法についてさらに詳しく定量的な説明をする。図７は記録材料３０の移動ピッチが一定量δsで、1positon に1枚のみ記録する場合の動作を示している。但し、参照光角度変化量+δθ、記録材料移動量+δs、total 記録枚数Ｎ、total 移動量Ｎ×δｓ=Ｓである。したがって１サイクルとは記録材料３０の移動距離がＳとなる期間である。
【００３５】
図７に示した動作を座標で示すと、図８の表で示した如くなる。この図で、aサイクルのb枚目に記録するホログラムの記録位置および参照光角度を、初期位置:Ｘ０,初期角度: θ０とした場合、
記録位置Ｘ = Ｘ０+(ａ−１)Ｎδｓ+(ｂ−１) δｓ 
参照光角度θ = θ０+(ｂ−１) δθ 
但し、1サイクル内で記録するホログラム枚数をＮとしたとき、
Ｎ×δｓ  ≧  信号光のフーリエ面サイズ
δθ≧ブラッグの選択性から決まる角度（データが再生されなくなる角度）
尚、記録する順番はどのような順番で記録してもかまわない、また、記録する順番を変更することでスケジューリングを行うことが可能である。
【００３６】
本実施形態も第１の実施形態と同様の効果があるが、特に、記録材料３０を連続的に移動させることができるため、良好な転送レートを確保することができる。
(実施例３)
【００３７】
図９は、本発明の第３の実施形態に係るホログラム記録方法を説明する図である。但し、簡略に説明するため記録材料３０のシフト方向は1次元のみとする。本実施形態は第２の実施形態をより簡単にした例である。
【００３８】
本実施形態もシフト量の総和が信号光のフーリエ面サイズよりも大きくなるまでの記録方法は第２の実施形態と同様の方法である（図９（Ａ）、（Ｂ）、（Ｃ））。なお、それまでに記録した枚数をＮ枚、そのときの記録した参照光記録材料入射角度をそれぞれθ１・・・・・θｎとする。図９（Ｃ）のように、Ｎ枚記録した後は参照光角度をＮ枚前の角度と同（図９（Ａ）と同じ）にしてホログラムを記録する。よってＮ枚記録するごとに参照光角度はθ１・・・・・θn、θ１・・・・・θnと繰り返すことになる。
【００３９】
本実施形態では、Ｎ枚前の参照光角度と同じに参照光角度で記録するため、参照光入射角度方向のクロストークが発生しづらく、また参照光入射角度の設定パラメータを繰り返し利用可能になるメリットがある。他の効果は第２の実施形態と同様である。
【００４０】
尚、本発明は上記実施形態に限定されることなく、その要旨を逸脱しない範囲において、具体的な構成、機能、作用、効果において、他の種々の形態によっても実施することができる。
【図面の簡単な説明】
【００４１】
【図１】本発明の第１の実施形態に係るホログラム記録方法を説明する図である。
【図２】記録材料の移動ピッチが一定量δs2で、1positonにｎ枚記録する場合を説明する図である。
【図３】図２に示した動作を座標で示した表図である。
【図４】記録材料の移動ピッチが不定で、1positonにｎ枚記録する場合を説明する図である。
【図５】図４に示した動作を座標で示した表図である。
【図６】本発明の第２の実施形態に係るホログラム記録方法を説明する図である。
【図７】記録材料の移動ピッチが一定量δsで、1positon に1枚のみ記録する場合の動作を説明する図である。
【図８】図７に示した動作を座標で示した表図である。
【図９】本発明の第３の実施形態に係るホログラム記録方法を説明する図である。
【図１０】従来の角度多重方式を用いたホログラム記録再生光学系の構成例を示した      図である。
【図１１】従来の角度多重方式を用いた場合に記録材料を連続的に移動させる方法を説明する図である。
【符号の説明】
【００４２】
１０……アパーチャ、３０……記録材料、１００……信号光、２００……平行参照光。
【図１】
2007304240.tif 000003
【図２】
2007304240.tif 000004
【図３】
2007304240.tif 000005
【図４】
2007304240.tif 000006
【図５】
2007304240.tif 000007
【図６】
2007304240.tif 000008
【図７】
2007304240.tif 000009
【図８】
2007304240.tif 000010
【図９】
2007304240.tif 000011
【図１０】
2007304240.tif 000012
【図１１】
2007304240.tif 000013